(57)【要約】      （修正有）【課題】現在のエスカレーターは直線形状をなし、上昇用と下降用の２台のエレベーターにより各階をつなぐものであるが、本発明は循環型経路を運行し、１台の自動階段により上昇と下降を同時に実現出来るものである。【解決手段】建物の一階床より二階床へ、又二階床より一階床へ円弧又は楕円弧を画いて循環する経路に、エンドレスの溝形ガイドレール２を設置し、多数の階段ユニット５を鎖状に連ねて運行し、傾斜路においても常にその姿勢を垂直に保ちうるように長尺ピニオン棒１４を２本のラック歯長尺板３及び４に噛み合わせる構造とし、相隣り合う階段ユニット５の連結用押え金具により垂直に褶動しうるように軽く挟み込んでガイドレール２の傾斜に相当する階段の段差を形成できるようにすると共に長く鎖状に連結し、これを階段ユニット５の下部外周に設けられたラック歯板１５をエンドレスベルト１７により駆動する循環型自動廻り階段。【選択図】図８
2009084046.tif 000002
【特許請求の範囲】
【請求項１】
建物の一階床より二階床へ、又二階床より一階床へ円弧又は楕円弧を画いて循環する経路に、エンドレスの溝形ガイドレール２を設置し、多数の階段ユニット５をこの溝形ガイドレール２の全長にわたり隙間なく、その中央車輪８を用いて取付け、この階段ユニット５がその溝形ガイドレール２の傾斜部を運行するときも常にその姿勢を垂直に保持させるため階段ユニット５に垂直に回転自在に取付けた長尺ピニオン棒１４を溝形ガイドレール２に並行に取付けられた上部ラック歯長尺板３と下部ラック歯長尺板４に同時に噛み合わせるようにし、相隣り会う階段ユニットの連結用畝状突起１０を溝形ガイドレール２内を転動する車輪１３に支えられている連結用溝形押え金具１１によって軽く垂直に褶動しうるようにして挟み込んで、溝形ガイドレール２の傾斜に相当する段差を隣りの階段ユニットの間に維持できるようにし、このようにして連結用溝形押え金具１１により、隣りの階段ユニット５を次々と鎖状に長く連結した後、階段ユニット５のフレーム６の下部外周に取付けられた垂直方向に歯形を持つラック歯板１５にモーター付減速機１９のベルト駆動用プーリー１８により駆動されるエンドレス直歯付ベルト１６又はエンドレス斜歯付ベルト１７を噛み合わせて駆動しうるようにし、このような駆動箇所を鎖状に長く連結した階段ユニット５に数カ所設けて、多数の階段ユニット５を運行させるようにした循環型自動廻り階段の構造
【請求項２】
請求項１に記載の循環型自動廻り階段の構造において前記階段ユニット５が水平移動する区画内で、この階段ユニット５の上面の踏板面を建物床に設置した静止踏板２１の下をくぐらせるようにして搭乗者をその上に乗り移らせる方法
【発明の詳細な説明】
【技術分野】
【０００１】  多人数に利用される大型建築用エスカレーターとして使用される。
【背景技術】
【０００２】  大型建築用に現在使用されているエスカレーターは直線形である。
【発明の開示】
【発明が解決しようとする課題】
【０００３】  現在のエスカレーターは直線形状をなし、上昇用と下降用の２台のエレベーターにより各階をつなぐものであるか本発明循環型経路を運行し、１台の自動階段により上昇と下降を同時に実現出来るものである。
【課題を解決するための手段】
【０００４】  建物の一階床より二階床へ、又二階床より一階床へ円弧又は楕円弧を画いて循環する経路に、エンドレスの溝形ガイドレール２を設置し、多数の階段ユニット５をこの溝形ガイドレール２の全長にわたり隙間なく、その中央車輪８を用いて取付け、この階段ユニット５がその溝形ガイドレール２の傾斜部を運行するときも常にその姿勢を垂直に保持させるため階段ユニット５に垂直に回転自在に取付けた長尺ピニオン棒１４を溝形ガイドレール２に並行に取付けられた上部ラック歯長尺板３と下部ラック歯長尺板４に同時に噛み合わせる構造にする。【０００５】  相隣り合う階段ユニットの連結用畝状突起１０を溝形ガイドレール２内を転動する車輪１３に支えられている連結用溝形押え金具１１によって軽く垂直に褶動しうるようにして挟み込んで、溝形ガイドレール２の傾斜に相当する段差を隣りの階段ユニットの間に維持できるようにし、このようにして連結用溝形押え金具１１により、隣りの階段ユニット５を次々と鎖状に長く連結してエンドレスにする。【０００６】  次に階段ユニットのフレーム６の下部外周に取付けられた垂直方向に歯形を持つラック歯板１５にモーター付減速機１９のベルト駆動用プーリー１８により駆動されるエンドレス直歯付ベルト１６又はエンドレス斜歯付ベルト１７を噛み合わせて駆動しうるようにし、このような駆動箇所を鎖状に長く連結した階段ユニット５に数カ所設けて、多数の階段ユニット５を運行させるようにする。【０００７】  又、循環経路を一周する廻り階段の水平移動区間内で、この階段ユニット５の上面の踏板面を建物床に設置した静止踏板２１の下をくぐらせるようにして搭乗者をその上に乗り移ることが出来るようにする。
【発明の効果】
【０００８】  各階への昇降の多い多人数収容の大型建物の上下の運行は本発明の循環型廻り階段を使用することにより階下より階上へ又階上より階下へ円滑に多人数を移動することが可能になり、又、この円形自動階段を中央ホールに設置する新しい建築設計が期待できうる。
【発明を実施するための最良の形態】
【０００９】  図１は本発明の円形の循環型廻り階段の略図の平面図
図２はその周りの水平部及び傾斜部の高低を示した略図の正面、側面及び裏面図である。【００１０】  図３は本発明の階段ユニット５がガイドレール２の水平場所を移動している状態の平面図、図４はその一部拡大図、図５はその正面図、図６はそのＡ−Ａ断面図である。【００１１】  階段ユニット５が建物の壁１に取付けられたガイドレール２の水平場所を移動する場合は、走行台車の中央車輪８と両端の押え金具用車輪１３は同一水平面にあり、相隣りの階段ユニット５は連結用溝形押え金具１１により連結され、その階段ユニットのフレーム６の踏板２０は水平に連なり、段差なく移動していく。そしてこれの移動のため、フレーム６の下部に取付けられたラック歯板１５の垂直方向の歯形にエンドレス直歯付ベルト１６を噛み合わせ、このベルト１６をモーター付減速機１９に取付けられたベルト駆動用プーリー１８により駆動する。【００１２】  この水平移動の場所で階段ユニットフレームの踏板２０よりその階の床に搭乗者を乗降させることが出来るが、又、図１０のように溝形のガイドレール２を水平の位置より少し降下させることにより走行台車の中央車輪８が落ちこんで、階段ユニットフレームの踏板２０を建物床に設置した静止踏板２１の下をくぐらせることにより搭乗者を静止踏板２１の上に乗り移らせることが出来る。【００１３】  この場合は階段ユニットのフレーム６の上面の踏板面には櫛歯の溝を設け、静止踏板２１の下面の櫛歯の溝とを嵌合せることが必要である。【００１４】  図７は本発明の階段ユニット５がガイドレール２の傾斜場所を移動している状態の平面図、図８はその正面図、図９はそのＢ−Ｂ断面図である。【００１５】  階段ユニット５がガイドレール２の傾斜場所を移動する場合は、走行台車の中央車輪８を中心として一方の押え金具車輪１３は高く、一方の押え金具車輪１３は低く、位置している。従って階段ユニット５は階段状に鎖状に連結した状態となる。従って階段ユニットフレームのラック歯板１５も段々になっている。これらのラック歯板１５に噛み合わせるためエンドレス斜歯付ベルト１７はガイドレール２と平行になるように同じ傾斜角をもって設置し、ラック歯板１５の垂直歯形に噛み合わせるため斜歯にする必要がある。このベルト１７はモーター付減速機１９に取付けられたベルト駆動用プーリー１８により駆動される。このように階段ユニット５は傾斜した方向にひっぱられるため隣合う階段ユニット５の摩擦力等により反対方向に傾斜し垂直な姿勢を保ち難い。【００１６】  そのため階段ユニット５に垂直に回転自在に取付けた長尺ピニオン棒１４を溝形ガイドレール２に並行に取付けられた上部ラック歯長尺板３と下部ラック歯長尺板４に同時に噛み合わせる構造にする。【００１７】  走行車台の長尺ピニオン棒は上部より下部まで垂直な歯を持つ長尺のピニオンであって図６では中間の部分の歯を削除して鼓型にしたものであって、この長尺ピニオン棒は上部ラック歯長尺板と下部ラック歯長尺板の垂直方向の歯と同時に噛み合うものである。
【図面の簡単な説明】
【００１８】
【図１】本発明の円形の循環型廻り階段の略図の平面図
【図２】図１の周りの展開図
【図３】本発明の実施形態の実施例として階段ユニット５がガイドレール２の水平場所を移動している状態の平面図
【図４】図３の一部拡大図
【図５】図３の正面図
【図６】図３のＡ−Ａ断面図
【図７】本発明の階段ユニット５がガイドレール２の傾斜場所を移動している状態の平面図
【図８】図７の正面図
【図９】図７のＢ−Ｂ断面図
【図１０】本発明に於いて階段ユニットフレームの踏板２０が建物床に設置した静止踏板２１の下にもぐりこんでいく状態を示す説明図の縦断面図
【符号の説明】
【００１９】    １・・・建物の壁                      ２・・・溝形のガイドレール
３・・・上部ラック歯長尺板            ４・・・下部ラック歯長尺板
５・・・階段ユニット                  ６・・・階段ユニットのフレーム
７・・・階段ユニットの走行車台        ８・・・走行車台の中央車輪
９・・・中央車輪用軸及び取付板
１０・・・隣接階段ユニットの連結用畝状突起
１１・・・連結用溝形押え金具          １２・・・押え金具用車軸
１３・・・押え金具用車輪              １４・・・走行車台の長尺ピニオン棒
１５・・・階段ユニットフレームのラック歯板
１６・・・駆動用エンドレス直歯付ベルト
１７・・・駆動用エンドレス斜歯付ベルト
１８・・・ベルト駆動用プーリー        １９・・・モーター付減速機
２０・・・階段ユニットフレームの踏板
２１・・・静止踏板
【図１】
2009084046.tif 000003
【図２】
2009084046.tif 000004
【図３】
2009084046.tif 000005
【図４】
2009084046.tif 000006
【図５】
2009084046.tif 000007
【図６】
2009084046.tif 000008
【図７】
2009084046.tif 000009
【図８】
2009084046.tif 000010
【図９】
2009084046.tif 000011
【図１０】
2009084046.tif 000012